(57)【要約】【課題】  入力された画像信号を電気的に補正することで白色度の調整を行う「液晶表示装置およびその白色度調整方法」を提供する。【解決手段】  本発明に係る液晶表示装置は、Ｒ、Ｇ、Ｂ信号を含む画像信号が入力されたとき、当該画像信号のＲ、Ｇ、Ｂ信号が一致するか否かを判定する判定回路１２０と、判定回路１２０によりＲ、Ｇ、Ｂ信号がすべて一致すると判定されたとき、白色度を調整するためにＲ、Ｇ、Ｂ信号の少なくとも１つを補正する補正処理部１３０と、補正処理部１３０から出力された画像信号に基づき液晶ディスプレイ５０を駆動する駆動回路４０とを有する。【選択図】  図３
2010098631.tif 000002
【特許請求の範囲】
【請求項１】
Ｒ、Ｇ、Ｂ信号を含む画像信号が入力されたとき、当該画像信号のＲ、Ｇ、Ｂ信号が一致するか否かを判定する判定手段と、
前記判定手段によりＲ、Ｇ、Ｂ信号がすべて一致すると判定されたとき、白色度を調整するためにＲ、Ｇ、Ｂ信号の少なくとも１つを補正する補正手段と、
前記補正手段により補正された画像信号に基づき液晶ディスプレイを駆動する駆動手段と、
を有する液晶表示装置。
【請求項２】
前記補正手段は、Ｒ、Ｇ、Ｂ信号の少なくとも１つを予め決められた係数に従い補正する、請求項１に記載の液晶表示装置。
【請求項３】
前記補正手段は、Ｒ、Ｇ、Ｂ信号の少なくとも１つをＲ、Ｇ、Ｂ信号の階調に応じて補正する、請求項１または２に記載の液晶表示装置。
【請求項４】
前記補正手段は、階調に応じて係数の変化を規定したテーブルを含み、当該テーブルを参照してＲ、Ｇ、Ｂ信号の少なくとも１つを補正する、請求項２または３に記載の液晶表示装置。
【請求項５】
前記補正手段は、Ｒ、Ｇ、Ｂ信号が一致しないと判定されたとき、入力された画像信号を補正することなく出力する、請求項１に記載の液晶表示装置。
【請求項６】
前記液晶ディスプレイは、液晶と、液晶からの光を透過するＲ、Ｇ、Ｂのカラーフィルタを含み、前記液晶は、前記駆動手段からの画像信号によって駆動される、請求項１に記載の液晶表示装置。
【請求項７】
前記液晶ディスプレイは車室内に配置され、前記補正手段は、車室内の色調に合うように前記画像信号の白色度の調整を行う、請求項１ないし６いずれか１つに記載の液晶表示装置。
【請求項８】
液晶と、液晶からの光を透過するＲ、Ｇ、Ｂのカラーフィルタを含み、画像信号に基づき液晶を駆動する液晶表示装置の白色度調整方法であって、
Ｒ、Ｇ、Ｂ信号を含む画像信号を入力するステップと、
入力された画像信号のＲ、Ｇ、Ｂ信号が一致するか否かを判定するステップと、
Ｒ、Ｇ、Ｂ信号がすべて一致すると判定されたとき、白色度を調整するためにＲ、Ｇ、Ｂ信号の少なくとも１つを補正するステップと、
補正された画像信号に基づき液晶を駆動するステップと、
を有する白色度調整方法。
【請求項９】
前記補正するステップは、Ｒ、Ｇ、Ｂ信号の少なくとも１つを予め決められた係数に従い補正する、請求項８に記載の白色度調整方法。
【請求項１０】
前記補正するステップは、Ｒ、Ｇ、Ｂ信号の少なくとも１つをＲ、Ｇ、Ｂ信号の階調に応じて補正する、請求項８または９に記載の白色度調整方法。
【請求項１１】
前記補正するステップは、階調に応じて係数の変化を規定したテーブルを含み、当該テーブルを参照してＲ、Ｇ、Ｂ信号の少なくとも１つを補正する、請求項９または１０に記載の白色度調整方法。
【請求項１２】
白色度調整方法はさらに、Ｒ、Ｇ、Ｂ信号が一致しないと判定されたき、入力された画像信号を補正することなくそのまま出力するステップを有する、請求項８に記載の白色度調整方法。
【発明の詳細な説明】
【技術分野】
【０００１】
本発明は、液晶表示装置における白色度の調整方法に関する。
【背景技術】
【０００２】
テレビやパーソナルコンピュータ等のカラーディスプレイとして液晶が利用されている。液晶表示装置は、通常、バックライト、液晶パネルおよびカラーフィルタ等を含んで構成されるが、バックライトに用いられるＬＥＤの色度のバラツキや、カラーフィルタのＲ（赤）、Ｇ（緑）、Ｂ（青）の透過特性などによって表示される白色度が異なる。このような白色度の調整は、ホワイトバランス調整またはホワイトポイント調整として知られている。
【０００３】
特許文献１は、ＲＧＢ表色系において、最高階調または最高輝度のホワイトポイントの色温度が設定できると共に、各階調における色温度がほぼ一定となるようなホワイトポイント調整装置を開示している。この特許文献１では、１つの色信号における最高階調からのオフセット量を各色温度毎に決定してホワイトポイントを設定する第１テーブルと、第１テーブルにより設定された各色温度毎に中間階調でのホワイトポイントを収束させるオフセット量を設定する第２テーブルと、第１テーブルおよび第２テーブルにより設定されるオフセット量を入力ビデオ信号に付加するホワイトポイント調整部とを備えている。
【０００４】
【特許文献１】特開２００1−１１９７１７号公報
【発明の開示】
【発明が解決しようとする課題】
【０００５】
Ｒ、Ｇ、Ｂ信号の輝度が等しいときまたはその階調レベルが等しいとき、白色が表示されるが、この白色度は、液晶表示装置毎に異なる一方で、顧客から白色度を指定されることが多い。例えばＡ社は、青系の白（色度x:0.300,y:0.300）を要求し、Ｂ社は、黄色系の白（色度x:0.330,y:0.330）を要求する。こうした要求の背景として、昨今の自動車１台当りに搭載される液晶表示装置の増加に伴い、各液晶表示装置間の白（白色度）の違いがデザイン上の大きな問題となる。このため、色度が同じになるような顧客からの強い要求が成されている。
【０００６】
従来の液晶表示装置の白色度の調整には、カラーフィルタの色度または透過特性を変更する方法がある。しかし、この方法は、液晶表示装置毎にカラーフィルタを変更しなければならないため、製造工程でのカラーフィルタの切り替えによる段取りのロスやカラーフィルタの材料費アップ等の理由により、現実的ではない。仮に、この方法で対応した場合には、大幅なコストアップと数量補償の問題が付きまとう。
【０００７】
もう１つに、バックライトに使われているＬＥＤの色度を変える方法がある。ＬＥＤは、通常、色度によってランク分けされており、製造された全ランクの色度のＬＥＤが使用されないと、ＬＥＤの価格がアップしてしまう。このため、液晶表示装置毎にＬＥＤの色度を変更する方法も現実的ではない。
【０００８】
また、液晶を駆動する駆動回路において、ＲＧＢのγカーブを補正し、白色度を調整する方法がある。この方法を用いた場合、γカーブの傾きがゆがんでしまうため、白色度を望ましく調整できたとしても、白系色以外およびＲＧＢ単色がゆがんでしまい、色再現範囲がシフトされ、自然な色再現をすることができないという課題を有している。
【０００９】
本発明は、このような従来の課題を解決するものであり、入力された画像信号を電気的に補正することで白色度の調整を行う液晶表示装置およびその白色度調整方法を提供することを目的とする。
【課題を解決するための手段】
【００１０】
本発明に係る液晶表示装置は、Ｒ、Ｇ、Ｂ信号を含む画像信号が入力されたとき、当該画像信号のＲ、Ｇ、Ｂ信号が一致するか否かを判定する判定手段と、前記判定手段によりＲ、Ｇ、Ｂ信号がすべて一致すると判定されたとき、白色度を調整するためにＲ、Ｇ、Ｂ信号の少なくとも１つを補正する補正手段と、前記補正手段により補正された画像信号に基づき液晶ディスプレイを駆動する駆動手段とを有する。
【００１１】
好ましくは前記補正手段は、Ｒ、Ｇ、Ｂ信号の少なくとも１つを予め決められた係数に従い補正する。また、前記補正手段は、Ｒ、Ｇ、Ｂ信号の少なくとも１つをＲ、Ｇ、Ｂ信号の階調に応じて補正してもよい。また、前記補正手段は、階調に応じて係数の変化を規定したテーブルを含み、当該テーブルを参照してＲ、Ｇ、Ｂ信号の少なくとも１つを補正してもよい。前記補正手段は、Ｒ、Ｇ、Ｂ信号が一致しないとき、入力された画像信号を補正することなく出力する。前記液晶ディスプレイは、液晶と、液晶からの光を透過するＲ、Ｇ、Ｂのカラーフィルタを含み、前記液晶は、前記駆動手段からの画像信号によって駆動される。好ましくは、前記液晶ディスプレイは車室内に配置され、前記補正手段は、車室内の色調に合うように前記画像信号の白色度の調整を行う。
【００１２】
本発明に係る白色度調整方法は、液晶と、液晶からの光を透過するＲ、Ｇ、Ｂのカラーフィルタを含み、画像信号に基づき液晶を駆動する液晶表示装置において行われるものであって、Ｒ、Ｇ、Ｂ信号を含む画像信号を入力するステップと、入力された画像信号のＲ、Ｇ、Ｂ信号が一致するか否かを判定するステップと、Ｒ、Ｇ、Ｂ信号がすべて一致すると判定されたとき、白色度を調整するためにＲ、Ｇ、Ｂ信号の少なくとも１つを補正するステップと、補正された画像信号に基づき液晶を駆動するステップとを有する。
【発明の効果】
【００１３】
本発明によれば、Ｒ、Ｇ、Ｂ信号が一致したとき、Ｒ、Ｇ、Ｂ信号の少なくとも１つを補正するようにしたので、電気的な補正により白色度の調整を行うことができ、従来のように液晶ディスプレイのカラーフィルタやバックライトの光源などの光学部材を変更する必要がない。このため、標準の液晶ディスプレイを提供することが可能になるため、白色度の調整を安価に行うことができ、各顧客からの要求に対応することができる。さらに、車載用の液晶ディスプレイであれば、車室内の色調にあわせた白の配色を行うことが可能になる。
【発明を実施するための最良の形態】
【００１４】
本発明の最良の実施の形態について図面を参照して詳細に説明する。図１（ａ）は、本発明に係る液晶表示装置の白色度調整方法を説明する図である。本発明に係る白色度調整方法は、Ｒ、Ｇ、Ｂ信号を含む画像信号が入力されたとき、Ｒ＝Ｇ＝Ｂの白系色の画像信号である場合には、Ｒ、Ｇ、Ｂ信号の少なくとも１つを補正し、リアルタイムに任意のＲＧＢ階調色をもつ白色度が調整された画像信号を液晶ディスプレイ（ＬＣＤ）に出力する。また、Ｒ≠Ｇ、またはＧ≠Ｂの画像信号である場合には、Ｒ、Ｇ、Ｂ信号の補正は一切行わず、そのまま画像信号を出力する。これに対し、γ補正による白色度調整方法は、図１（ｂ）に示すように、入力される画像信号が白系色ときにも白系色以外のときにも、画像信号を補正処理する。このため、白系色以外およびＲＧＢ単色にゆがみを生じるが、本発明では、そのようなゆがみを生じさせない。
【実施例】
【００１５】
図２は、本発明の実施例に係る液晶表示装置の構成を示すブロック図である。
本実施例の液晶表示装置は、コンピュータ装置やテレビ等からの画像信号を入力する画像信号入力部２０と、入力された画像信号の白色度調整などを行う信号処理部３０と、信号処理部３０からの出力信号に基づき液晶ディスプレイを駆動する駆動回路４０と、２次元マトリクス状に液晶を配列させた液晶ディスプレイ５０とを含んで構成される。
【００１６】
図３に信号処理部の内部構成を示す。信号処理部３０は、アナログ／ディジタル変換部１００と、ディジタルＲＧＢ変換部１１０と、画像信号が白系色か否かを判定する判定回路１２０と、判定結果に応じてＲＧＢ信号の補正処理を行う補正処理部１３０とを有している。
【００１７】
アナログ／ディジタル変換部１００は、入力される画像信号がアナログ信号であるとき、この画像信号をディジタル信号に変換し、これをディジタルＲＧＢ変換部１１０へ出力する。入力される画像信号がディジタル信号であるときには、この画像信号はディジタルＲＧＢ変換部１１０へ直接入力される。
【００１８】
ディジタルＲＧＢ変換部１１０は、入力したディジタル画像信号をＲ、Ｇ、Ｂ信号に変換する。画像信号は、液晶ディスプレイ５０において表示可能な階調レベルに応じたビット数からなる。例えば、２５６階調のカラー表示をする場合には、画像信号は、２４ビットデータからなり、Ｒ、Ｇ、Ｂ信号は、それぞれ８ビットデータから構成される。
【００１９】
判定回路１２０は、ＲＧＢ変換部１２０からＲ、Ｇ、Ｂ信号を受け取り、Ｒ、Ｇ、Ｂのそれぞれが一致するとき（Ｒ＝Ｇ＝Ｂ）、画像信号が白系色であると判定し、一致しないとき（Ｒ≠Ｇ≠Ｂ）、画像信号が白系色以外であると判定する。Ｒ、Ｇ、Ｂ信号がそれぞれ８ビットデータからなるとき、それらの最高階調もしくは最高輝度は、「11111111」で表され、最低階調もしくは最低輝度は、「00000000」で表される。これとは反対に、最高階調が「00000000」で表され、最低階調が「11111111」で表されてもよい。Ｒ、Ｇ、Ｂ信号の８ビットデータが等しくなる組み合わせは、図５に示すように、その階調数であり、全部で２５６通りである。判定回路１２０は、Ｒ、ＧおよびＢ信号が一致したと判定したとき、その判定結果を補正処理部１３０へ供給する。
【００２０】
補正処理部１３０は、画像信号が白系色であると判定されたとき、当該画像信号の白色度が調整されるようにＲ、Ｇ、Ｂ信号の少なくとも１つの補正を行う。画像信号が白色系以外であると判定されたとき、画像信号を補正することなくそのままディジタルＲＧＢ信号を出力する。
【００２１】
図４は、駆動回路の内部構成を示す図である。駆動回路４０は、タイミングコントローラ１４０、カラムドライバ１５０およびロードライバ１６０を有する。タイミングコントローラ１４０は、信号処理部３０から出力されるディジタルＲＧＢ信号を入力し、当該ディジタルＲＧＢ信号に対応したタイミング信号をカラムドライバ１５０およびロードライバ１６０へ出力する。カラムドライバ１５０およびロードライバ１６０は、タイミング信号に応じて液晶ディスプレイが１ラインずつスキャンされるように液晶ディスプレイを駆動する
【００２２】
液晶ディスプレイ５０は、図７に示すように、バックライト５２上に、対向する透明電極５４、対向する透明電極５４に挟まれた液晶５６、おおびＲ、Ｇ、Ｂのカラーフィルタ５８を有する。液晶５４は、カラムドライバ１５０およびロードライバ１６０によって選択され、選択された液晶５４には画像信号に応じた電界が与えられ、液晶５４が変調される。液晶の変調度合いに応じてバックライトからの光の透過量が可変される液晶５４からの光はさらに、対応するＲ、Ｇ、Ｂのフィルタを透過する。液晶ディスプレイ５０の解像度は、ＶＧＡ（640×480）、ＳＶＧＡ（800×600）、ＸＧＡ（1,024×768）、ＳＸＧＡ（1,280×1,024）などから適宜選択される。
【００２３】
次に、図３に示した補正処理部の詳細について説明する。Ｒ、Ｇ、Ｂ信号の階調レベルまたは輝度が一致するとき、画像信号による表示は白系色となる。補正処理部１３０は、画像信号が白系色であるとき、要求された白色度に適合するように、Ｒ、Ｇ、Ｂ信号の少なくとも１つの階調レベルを任意の階調レベルに変更する。
【００２４】
本実施例の第1の補正方法は、Ｒ、Ｇ、Ｂ信号の階調レベルが一定の割合で減少または増加するような補正を行う。好ましくは、階調レベルを変更するための係数ＫＲ、ＫＧ、ＫＢを設定し、Ｒ、Ｇ、Ｂ信号の階調レベルに係数を乗じる。補正後の画像信号を、Ｒａ、Ｇａ、Ｂａとしたとき、Ｒａ＝ＫＲ・Ｒ、Ｇａ＝ＫＧ・Ｇ、Ｂａ＝ＫＢ・Ｂとなるような補正を行う。すなわち、階調レベルを減少させる場合には、係数を「１」よりも小さく設定し、階調レベルを増加させる場合には、係数を「１」より大きく設定する。Ｒ、Ｇ、Ｂ信号の階調レベルを変更させない場合には、係数を「１」に設定する。なお、ここでは説明を分かり易くするために、アナログ的に係数を乗算したが、補正処理部１３０は、このような係数の乗算と均等となるように、Ｒ、Ｇ、Ｂ信号のビットデータを変更する。例えば、Ｇ信号「11111111」が、Ｇａ信号「11111101」に変更され、この変更は、係数ＫＧの乗算に等しい。
【００２５】
また、補正処理部１３０は、係数ＫＲ、ＫＧ、ＫＢを必ずしもすべて設定する必要はない。Ｒ、Ｇ、Ｂ信号のいずれかについて変更しない場合には、当該信号についての係数を設定することは不要である。さらに、補正処理部１３０は、係数を予め設定することも可能であるが、例えば、プログラム可能なメモリを用いることで、係数を変更したり、後から設定することも可能である。これにより、個々の液晶表示装置の白色度の調整を容易に実行することができる。
【００２６】
次に、本実施例の第２の補正方法について説明する。第１の補正方法は、Ｒ、Ｇ、Ｂ信号の階調レベルにかかわらず一律に階調レベルを減少または増加させたが、第２の補正方法は、階調レベルに応じて係数を可変する。Ｒ、Ｇ、Ｂ信号の階調レベルが異なれば、白色の階調表示も異なり、それに応じた白色度の調整を行うことが望ましい場合がある。例えば、Ｒ、Ｇ、Ｂの階調レベルが最低であるとき、黒色の表示となるが、このような場合には、Ｒ、Ｇ、Ｂ信号の階調レベルを補正しても表示に影響がないので、必ずしも補正を行わなくてもよい。同様に、Ｒ、Ｇ、Ｂ信号の階調レベルが一定値より小さいときには、Ｒ、Ｇ、Ｂ信号の階調レベルの変更の割合を小さくし、階調レベルが一定値より大きいときに変更の割合を大きくするようにしてもよい。
【００２７】
第２の補正方法では、図６（ａ）に示すように、係数ＫＲ、ＫＧ、ＫＢを階調レベルに応じて線形に異ならせることができる。また、図６（ｂ）に示すように、階調レベルが一定値以上になったときに、Ｒ、Ｇ、Ｂ信号を補正するようにしてもよい。この場合、一定値まで係数ＫＲ、ＫＧ、ＫＢを「１」に設定し、一定値以上の階調レベルにおいて係数を変化させることができる。さらに図６（ｃ）に示すように、係数ＫＲ、ＫＧ、ＫＢは、線形の変化のほかに、階段状に変化するものであってもよい。このような係数ＫＲ、ＫＧ、ＫＢの変化を数式によって表すことができる場合には、補正処理部１３０は、そのような数式に保持し、Ｒ、Ｇ、Ｂ信号の階調レベルを検出し、検出した階調レベルから係数を決定する。また、補正処理部１３０は、数式の他にも、階調レベルと係数の関係を規定したテーブルをメモリに格納しておき、検出されたＲ、Ｇ、Ｂ信号の階調レベルに対応する係数をテーブルから選択するようにしてもよい。
【００２８】
図７は、液晶表示装置の動作を説明する図である。液晶ディスプレイ５０は、上記したようにバックライト５２、透明電極５４、液晶５６、Ｒ、Ｇ、Ｂのカラーフィルタ５８を有している。図７(ａ)に示すように、Ｒ、Ｇ、Ｂ信号が最高階調であるとき、Ｒ、Ｇ、Ｂフィルタを透過するＲ、Ｇ、Ｂの光の透過量は１００％である。従って、液晶ディスプレイの画素は、最高輝度の白色を表示する。
【００２９】
本実施例による補正法を用いて白色度調整を行うと、図７(ａ)の透過状態から図７（ｂ）に示す透過状態に補正される。図７（ｂ）の例は、Ｒ信号の階調レベルを９８％に減少し、Ｇ信号の階調レベルを変更せずに１００％とし、Ｂ信号の階調レベルを９３％に変更している。これにより、ＲのフィルタからのＲの光の透過量は９８％、ＧのフィルタからのＧの光の透過量は１００％、ＢのフィルタからのＢの光の透過量は９３％となり、これにより、液晶ディスプレイの画素は、黄色系の白色を表示するように調整される。このように、本実施例では、カラーフィルタやバックライトを調整することなく、Ｒ、Ｇ、Ｂ信号を電敵に補正することで白色度の調整を行うことができる。
【００３０】
図８（ａ）は、γ補正法を用いたときの色度図であり、Ｐは補正前の色再現領域、Ｑはγ補正後の色再現領域を示している。Ｎは、参考例としてＣＲＴディスプレイによる色再現領域を示している。γ補正法では、色再現領域を変えることで、白色表示をＷからＷ１へシフトさせている。一方、図８（ｂ）は、本実施例の白色度調整を行ったときの色度図であり、Ｐは補正前の色再現領域、Ｑは補正後の色再現領域を示している。図からも明らかなように、本実施例では、補正の前後において色再現領域は変更されずに、白色表示をＷをＷ１へシフトすることができる。従って、本実施例では、γ補正法のように白系色以外のＲＧＢ単色のゆがみを生じさせることがない。
【００３１】
次に、本実施例の信号処理部の他の構成例を図９に示す。信号処理部３０Ａは、ディジタルＲＧＢ変換部１１０から出力されたＲ、Ｇ、Ｂ信号を一時格納するＲレジスタ１３０、Ｇレジスタ１３２、Ｂレジスタ１３４と、これらレジスタに格納されたＲ、Ｇ、Ｂ信号が一致するか否かを判定する判定回路１２０と、一致すると判定されたときにＲ、Ｇ、Ｂ信号の少なくとも１つを補正する補正処理部１３０と、マルチプレクサ（ＭＵＸ）１４０、１４２、１４４とを有する。
【００３２】
判定回路１２０は、Ｒ、Ｇ、Ｂ信号が一致すると判定したとき論理Ｈ、一致しないと判定したとき論理Ｌの判定信号Ｓを、補正処理部１３０とマルチプレクサ１４０、１４２、１４４にそれぞれ出力する。マルチプレクサ１４０は、Ｒレジスタ１３０のＲ信号と補正処理部１３０から出力されたＲａ信号を入力する入力部と、判定信号Ｓに基づき選択された入力を出力する出力部とを有する。同様に、マルチプレクサ１４２は、Ｇレジスタ１３２からのＧ信号とＧａ信号を入力し、判定信号Ｓに基づきいずれか選択した信号を出力し、マルチプレクサ１４４は、Ｂレジスタ１３４からのＢ信号とＢａ信号を入力し、判定信号Ｓに基づきいずれか選択した信号を出力する。
【００３３】
補正処理部１３０は、判定回路１２０からの判定信号Ｓに応答して、画像信号が白系色であるとき、Ｒ、Ｇ、Ｂ信号を上記補正方法に従い補正し、マルチプレクサ１４０、１４２、１４４は、補正された信号Ｒａ、Ｇａ、Ｂａを駆動回路４０へ出力する。他方、画像信号が白系色以外であるとき、補正処理部１３０は、Ｒ、Ｇ、Ｂ信号の補正処理を行わない。マルチプレクサ１４０、１４２、１４４は、判定信号Ｓに応じて、Ｒレジスタ１３０、Ｇレジスタ１３２、Ｂレジスタ１３４からのＲ、Ｇ、Ｂ信号を駆動回路４０へ出力する。
【００３４】
以上、本発明の好ましい実施の形態について詳述したが、本発明は、特定の実施形態に限定されるものではなく、特許請求の範囲に記載された本発明の要旨の範囲内において、種々の変形・変更が可能である。
【図面の簡単な説明】
【００３５】
【図１】図１(ａ)は本発明の白色度調整方法を説明する図であり、図１（ｂ）はγ補正による白色度調整方法を説明する図である。
【図２】本発明の実施例に係る液晶表示装置の構成を示すブロック図である。
【図３】図２に示す補正処理部の構成を示す図である。
【図４】図２に示す駆動回路の構成を示す図である。
【図５】Ｒ、Ｇ、Ｂ信号が一致する例を示す図である。
【図６】補正処理部の係数の設定例を説明する図である。
【図７】本実施例による液晶表示装置の動作を説明する図である。
【図８】図８(ａ)はγ補正法による色度図、図８（ｂ）は本実施例による白色度調整を行ったときの色度図である。
【図９】本実施例の信号処理部の他の構成例を示す図である。
【符号の説明】
【００３６】
１０：液晶表示装置                  ２０：画像信号入力部
３０：信号処理部                    ４０：駆動回路
５０：液晶ディスプレイ              １００：アナログ／ディジタル変換部
１１０：ディジタルＲＧＢ変換部    １２０：判定回路
１３０：補正処理部
【図１】
2010098631.tif 000003
【図２】
2010098631.tif 000004
【図３】
2010098631.tif 000005
【図４】
2010098631.tif 000006
【図５】
2010098631.tif 000007
【図６】
2010098631.tif 000008
【図７】
2010098631.tif 000009
【図８】
2010098631.tif 000010
【図９】
2010098631.tif 000011